(57)【要約】【課題】全ての通話可能な携帯端末を対象とし、該携帯端末を介して本人確認を可能にするシステムを提供する。【解決手段】携帯電話機１０と音響信号を送受信する音響信号送受信器３０と、携帯電話特定部４０と、演算処理部５０からなり、携帯電話特定部４０はＡ／Ｄコンバータ４１と、信号処理部４２と、音響信号発生器４３と、通信端末である電話機４４を有し、演算処理部５０は比較部５１と判定部５２を有する。比較部５１は信号処理部４２からの信号処理後の音響信号と音響信号発生器４３からの音響信号を入力として比較演算し、相関情報を判定部５２に入力する。判定部５２は相関情報をもとに判定して認証情報を生成する。携帯電話特定部４０の電話機４４は認証情報と音響信号を携帯電話機１０との間で送受信し、携帯電話機１０の存在を確認する。【選択図】      図１
2004304395.tif 000002
【特許請求の範囲】
【請求項１】
携帯端末が特定場所に存在することを確認する携帯端末の存在確認システムであって、通話機能を備えた携帯端末と、通話機能を備えた携帯端末特定部とで構成され、
上記携帯端末特定部は、
通話状態の携帯端末に対して所定周波数の音響信号である音声信号を発生する音響信号発生手段と、
上記音響信号発生手段が発生した音響信号を送信する音響信号送信手段と、
上記音響信号発生手段から送信された音響信号を受信する音響信号送受信手段と、
上記音響信号送受信手段で受信した上記音響信号と上記音響信号送信手段にて送られた音響信号とを比較して、その一致／不一致を判断し、携帯端末の特定場所における存在を判断する音響比較手段とを備えたことを特徴とする携帯端末特定システム。
【請求項２】
音響信号送受信手段を特定場所に設置し、特定場所における携帯端末の存在を確認することを特徴とする請求項１に記載の携帯端末特定システム。
【請求項３】
上記音響信号送信手段が、通話機能を備えた電話機端末であることを特徴とする請求項１又は２に記載の携帯端末特定システム。
【請求項４】
上記音響信号送信手段が、上記携帯端末特定部の音響信号発生器であることを特徴とする請求項１又は２に記載の携帯端末特定システム。
【請求項５】
上記音響信号発生器から発信する音響信号は、随時にランダムに変更することを特徴とする請求項１に記載の携帯端末特定システム。
【請求項６】
特定場所における携帯端末の存在を確認する方法であって、
携帯端末に接続可能な携帯端末特定部と携帯端末との間を通話状態とし、
携帯端末特定部から上記携帯端末に対して所定の音響信号を発信し、
上記携帯端末特定部から送られた音響信号と、上記携帯端末から発せられた音響信号を音響信号送受信器で受信し、
上記音響信号送受信器で受信された音響信号と上記携帯端末特定部から送られた音響信号とを比較して、一致不一致を判断し、一致すれば上記携帯端末が特定された場所に存在することを確認するようにしたことを特徴とする特定場所における携帯端末の存在確認方法。
【発明の詳細な説明】
【０００１】
【発明の属する技術分野】
本発明は、携帯端末である携帯電話機を利用して、駐車場における車両の駐車予約を行う場合とか、同じく施設への入場予約を行う場合、又は、アイテムの購入予約等を行う際に、予約が行われた携帯端末の特定場所における存在を確認することで、上記携帯端末を携帯する車両又は人物が特定された場所に確かに存在することを確認し、合せて本人確認を可能にする為のシステムと、その携帯端末の存在を確認する方法に関するものである。
【０００２】
【従来の技術】
特許文献１に記載の「アイテム予約販売システム」には、携帯端末によりアイテムの購入予約を行い、又、アイテムを利用しに来たユーザが予約した本人であることを、ユーザが携帯する端末に保存されている所定の情報を認証することで確認を行う旨の記載がある。具体的には、予約が完了することで予約先から送られて来た予約番号等の所定の情報をバーコード表示等で端末に表示し、その表示を予約先の確認装置のスキャナーで読み取り、本人確認がなされる。
【０００３】
その他、携帯端末に備えた赤外線通信手段等により予約番号等の識別情報を確認装置に送信して、確認する方法もある。これ等の技術を利用可能な具体例として、例えば、出退勤管理、他店舗勤務実績、訪問の実績確認、パトロール等の巡回実績等がある。
【０００４】
【特許文献１】
特開２００２−２１５９８６号公報
【０００５】
上記特許文献１に記載のシステムでは、例えばアイテムの購入予約を複数回に分けて行う場合のように、異なった日時、場所において関連してなされる各種処理（以後、対象処理と称する）を、携帯電話機の通信で実行するシステムにおいて、実行者の同一性を確認する手段として、同じ携帯電話機を使用して実行されることを条件とすることがある。そのとき携帯電話機を特定するために、対象処理を実行した携帯電話機の番号を記憶し、以後、同じ携帯電話機の番号であれば、同一人物によって処理がなされていると判断している。さらに、最終的に対象処理を行った携帯電話機であると特定するため、対象となる携帯電話機に取り出し自在のなんらかのＩＤを送信しておき、事後に、特定の位置に設置された読み取り装置でＩＤを照合することで、電話機を特定し、その持ち主を対象処理の実行者と認識する。
【０００６】
例えば、携帯電話機を利用した予約システムなどで、事前に予約処理を行った携帯電話機に対し２次元バーコードや赤外線通信データなどを送信する。予約者が所定の位置（例えば各種施設など）で予約内容を実行（入場など）するにあたり、予約者は受信した内容をＣＣＤや赤外線通信センサーなどを持つ認識装置に対し発信する。
【０００７】
【発明が解決しようとする課題】
しかし、２次元バーコード表示機能や赤外線表示機能は、全ての機種が持っているわけではないため、予約システムは対応機種を制限するか、複数の認識装置が必要となってしまう。そこで、正常に通信可能な全ての携帯電話機で共通に利用可能な携帯電話機特定方法とその装置が必要となる。
【０００８】
上記の方法を実施するためには、携帯端末が特殊な仕様の機種に限定されるとか、特別なソフトを組み込まなければならないと云ったことになり、全ての端末を対象としたシステムを作ることはできない。又、予約番号等の情報を端末にバーコード表示する場合にも、このバーコードを偽造する事も可能であり、本人確認が十分に行われる保証もない。
【０００９】
本発明は、上述の問題点に鑑みてなされたもので、その目的は、全ての通話可能な携帯端末を対象とし、該携帯端末を介して本人確認を可能にするシステムを提供することである。
【００１０】
【課題を解決するための手段】
（１）  上記目的を達成するために、本発明の携帯端末特定システムは、前記請求項１に記載の如く、携帯端末が特定場所に存在することを確認する携帯端末の存在確認システムであって、通話機能を備えた携帯端末と、通話機能を備えた携帯端末特定部とで構成され、上記携帯端末特定部は、通話状態の携帯端末に対して所定周波数の音響信号である音声信号を発生する音響信号発生手段と、上記音響信号発生手段が発生した音響信号を送信する音響信号送信手段と、上記音響信号発生手段から送信された音響信号と上記携帯端末の音響信号を受信する音響信号送受信手段と、上記音響信号送受信手段で受信した上記音響信号と上記音響信号送信手段にて送られた音響信号とを比較して、その一致／不一致を判断し、携帯端末の特定場所における存在を判断する音響比較手段とを備えたことを特徴とするものである。
【００１１】
（２）  また、本発明に係る携帯端末特定システムは、前記請求項２に記載の如く、音響信号送受信手段を特定場所に設置し、特定場所における携帯端末の存在を確認することを特徴とするものである。
【００１２】
（３）  また、本発明に係る携帯端末特定システムは、前記請求項３に記載の如く、上記音響信号送信手段が、通話機能を備えた電話機端末であることを特徴とするものである。
【００１３】
（４）  また、本発明に係る携帯端末特定システムは、前記請求項４に記載の如く、上記音響信号送信手段が、上記携帯端末特定部の音響信号発生器であることを特徴とするものである。
【００１４】
（５）  また、本発明に係る携帯端末特定システムは、前記請求項５に記載の如く、上記音響信号発生器から発信する音響信号は、随時にランダムに変更することを特徴とするものである。
【００１５】
（６）  更に、本発明に係る携帯端末の存在確認方法は、前記請求項６に記載の如く、特定場所における携帯端末の存在を確認する方法であって、携帯端末に接続可能な携帯端末特定部と携帯端末との間を通話状態とし、携帯端末特定部から上記携帯端末に対して所定の音響信号を発信し、上記携帯端末特定部から送られた音響信号と、上記携帯端末から発せられた音響信号を音響信号送受信器で受信し、上記音響信号送受信器で受信された音響信号と上記携帯端末特定部から送られた音響信号とを比較して、一致不一致を判断し、一致すれば上記携帯端末が特定された場所に存在することを確認するようにしたことを特徴とするものである。
【００１６】
上記（１）〜（６）で述べた手段によれば、送受信可能で相手発信端末の電話機番号を認知可能な電話機と、ＣＰＵなどの演算装置と、信号処理部と、メモリなどの記憶装置と、無作為に特定音響信号を発信可能な音響信号発生器と、任意の位置に配置された音響信号送受信器により構成された携帯端末特定部で、対象処理実行者の位置情報を特定するため、任意の位置に配置された音響信号送受信器の近傍にて、対象処理実行者の所有する携帯電話機と携帯端末特定部より発信した音響を携帯電話機のスピーカを経由して音響信号送受信器で受け、自身の発信した音響信号と比較照合し、同じ音響信号と推定された場合に対象処理実行者が当該音響信号受信器の近傍に存在するものと判断することができる。
【００１７】
携帯電話機を特定する手段として、送受信可能で相手発信端末の電話機番号を認知可能な電話機とコンピュータなどの演算記憶機能、および、任意の音響信号を無作為に発信可能な音響信号発生器からなる携帯電話機特定部を固定的に設置する。また、少くとも１箇所以上の任意の位置に、マイクロホン、アンプからなり、有線あるいは無線で携帯端末特定部に信号を送信できる音響信号送受信器を設置する。予約システムの場合、音響信号送受信器の設置場所は、予約内容を実行する施設等の入口に設置すると好都合である。
【００１８】
携帯電話機の特定方法として、予約などを希望する対象者は、対象となるサービス提供機関などが保有する携帯電話機サイトにアクセスしたり、直接電話をかけて自分の携帯電話機の番号をサービス提供機関が保有する携帯端末特定部に知らせることで、一連の処理が認められるように上記サービス提供機関の予約システムを構成する。
【００１９】
携帯端末特定部は、かかってきた電話機番号から予約情報を検索し、予約内容を確認し、現在日時が予約内容と一致した場合、対象者が音響信号送受信器の近傍にいることを確認したうえで、携帯電話機の受話口を音響信号送受信器のマイクロホンに近づけることを促し、音響信号発生器から無作為に音響信号を発信する。
【００２０】
携帯端末特定部から発信された音響信号は、携帯電話機の受話口に内蔵されたスピーカより音響として発信され、その音響は音響信号送受信器で受信され、携帯端末特定部に送信される。
【００２１】
また、携帯端末特定部は、音響信号送受信器から送られてきた音響信号をＦＦＴあるいは相互相関関数などの信号処理によって解析し、自身の発信した音響信号と比較し、自身の発信した音響信号と推定された場合に、対象者の保有する携帯電話機が特定の音響信号送受信器の近傍に存在すると判断することで、処理対象者も同じ位置にいると判断する。
【００２２】
【発明の実施の形態】
以下に、本発明の実施の形態による携帯端末特定システムについて、図面を参照しながら説明する。
【００２３】
図１は本発明の実施形態による携帯端末特定システムの構成ブロック図であって、図１において、１０は利用者（ユーザー）が携帯する携帯端末である携帯電話機、２０は携帯電話機の通信ネットワークである携帯基地局、３０は特定の場所に設置されるべき音響信号送受信器、４０で全体的に示したのはユーザーが携帯する携帯電話機１０を特定する携帯電話特定部（携帯端末特定部）、６０は予約駐車場や予約施設等の設備機器としての外部機器である。
【００２４】
携帯電話機１０は、電子メール送受信機能、情報データベース機能、インターネツトアクセス機能の少くとも一つを有すると共に、データ表示部、データ入出力部、音声によるデータ入出力部、データメール送受信部を有している。即ち、携帯電話機１０は、アンテナ、送受信制御部（ＲＦ制御部）、アナログ制御部、音声入力部であるマイクロホン、音声出力部であるスピーカー、マイコン、メモリ、表示制御部（ＬＣＤコントローラ）、入出力部（Ｉ／Ｏ部）、表示部（ＬＣＤ）、およびキー操作部を備えている。
【００２５】
送受信制御部は、アンテナを介しての携帯電話特定部４０との情報通信を制御する。アナログ制御部は、アナログ信号をもとにマイクロホンとスピーカを駆動制御する。音響信号送受信器３０もマイクロホンとスピーカを有する。利用者は、携帯電話機１０を介して、音響信号送受信器３０と音響信号の送受信を行う。管理センター等に設けられた携帯電話特定部４０は、Ａ／Ｄコンバータ４１と、信号処理部４２と、所定周波数の音響信号発生部４３と、通信端末である電話機４４、および演算処理部５０からなる。なお、演算処理部５０は携帯電話特定部４０の外部に配置してもよい。
【００２６】
Ａ／Ｄコンバータ４１は、音響信号送受信器３０で受信したアナログ音響信号をデジタル音響信号に変換する。信号処理部４２は、デジタル音響信号を信号フイルタによるノイズ除去などの処理を行い、信号処理後の音響信号を演算処理部５０に入力する。音響信号発生器４３は、アナログ音響信号をデジタル音響信号に変換して演算処理部５０に入力する。
【００２７】
演算処理部５０は比較部５１と判定部５２からなり、比較部５１は、信号処理部４２からの音響信号と音響信号発生器４３からの音響信号を比較処理して、高速フーリェ変換処理あるいは送信信号や受信信号に基づく相互相関関数の計算などの処理を行う。判定部５２は、比較部５１による相関情報をもとに判定処理を実行し、電話機４４に認証情報を入力すると共に、外部機器６０に制御指令を入力する。電話機４４は、判定部５２からの認証情報と音響信号を受け、これらの認証情報と音響信号を、携帯基地局２０を介して、ユーザーの携帯電話機１０と送受信する。外部機器６０としては、予約駐車場、アイテム予約などがある。
【００２８】
上記構成の携帯端末特定システムによれば、前述したように、ユーザーの携帯電話機１０と、任意の位置に配置された音響信号送受信器３０と、携帯電話特定部４０と、外部機器６０によって構成される。携帯電話特定部４０は、Ａ／Ｄコンバータ４１と、信号処理部４２と、無作為に特定音響信号を発信可能な音響信号発生器４３と、送受信可能で相手発信端末である携帯電話機１０の電話番号を認知可能な電話機４４と、メモリなどの記憶装置を有するＣＰＵなどの演算処理部５０により構成される。
【００２９】
対象処理実行者の位置情報を特定するため、任意の位置に配置された音響信号送受信器３０の近傍にて、対象処理実行者の所有する携帯電話機１０と携帯電話特定部４０間で通話状態とし、携帯電話特定部４０の音響信号発生器４３より発信した所定周波数の音響信号を携帯電話機１０のスピーカを経由して音響信号送受信器３０で受け、携帯電話特定部４０自身の発信した音響信号と比較照合し、音響信号送受信器３０で受けた音響信号と携帯電話特定部４０の音響信号が同じと推定された場合に、対象処理実行者が当該音響信号送受信器３０の近傍に存在すると判断する。
【００３０】
音響信号発生器４３から発信する音響信号は、毎回又は随時にランダムに変更することで安全性と信頼性を高める。また、音響解析を行いやすいＤＴＭＦ信号を発信することも認識率を高めるために有効な手段である。例えば、店舗間を移動する従業員用の就業管理装置として携帯電話機が利用される場合があるが、その位置と時間的な存在を検出する手段として有効である。また、音響信号送受信器としての電話機４４として、店舗に設置された既存の固定電話機を利用することも可能である。
【００３１】
携帯電話機１０を特定する手段として、送受信可能で相手発信端末の電話番号を認知可能な電話機４４とコンピュータなどの演算記憶機能および、任意の音響信号を無作為に発信可能な音響信号発生器４３からなる携帯電話特定部４０を固定的に設置する。また、少くとも１箇所以上の任意の位置に、マイクロホンとアンプを有し、有線あるいは無線で携帯電話特定部４０に音響信号を送受信できる音響信号送受信器３０を設置する。予約システムの場合、音響信号送受信器３０の接地場所は、予約内容を実行する施設等の入口に設置すると好都合である。
【００３２】
次に、携帯電話の特定方法として、予約などを希望する対象者は、対象となるサービス提供機関などが保有する携帯電話サイトにアクセスしたり、直接電話をかけて自分の携帯電話機１０の電話番号をサービス提供機関が保有する携帯電話特定部４０に知らせることで、一連の処理が認められるように上記サービス提供機関の予約システムを構成する。サービス提供機関の予約システムは、対象者の一連の入力内容を把握し、予約が可能であればその内容と携帯電話番号をあわせて記憶すると同時に、内容の復唱と予約内容の実施時点での操作方法などをメールまたは音声通話により対象者に知らせる。
【００３３】
対象者が予約内容を実行するには、まず、所定の位置に配置された音響信号送受信器３０の近傍にて、当該携帯電話機１０を使用して、サービス提供機関あるいはサービス提供機関が所有する携帯電話特定部４０に直接電話をかけ、携帯電話特定部４０と通話状態となす。
【００３４】
携帯電話特定部４０は、かかってきた電話番号から予約情報を検索し、予約内容を確認し、現在日時が予約内容と一致した場合、対象者が音響信号送受信器３０の近傍にいることを確認したうえで、携帯電話機１０の受話口を音響信号送受信器３０のマイクロホンに近づけることを促し、音響信号発生器４３から無作為に音響信号を発信する。
【００３５】
携帯電話特定部４０から発信された音響信号は、携帯電話機１０の受話口に内蔵されたスピーカより音響１１として発信され、その音響は音響信号送受信器３０で受信され、携帯電話特定部４０に送信される。
【００３６】
携帯電話特定部４０は、音響信号送受信器３０から送られてきた音響信号を、ＦＦＴ（高速フーリェ変換）あるいは相互相関関数などの信号処理によって解析し、自身の発信した音響信号と比較し、自身の発信した音響信号と推定された場合に、対象者の保有する携帯電話機１０が特定の音響信号送受信器３０の近傍に存在すると判断することで、処理対象者も同じ位置にいると判断する。
【００３７】
図２は携帯電話特定部４０の認証動作の処理フローを示す。ステップＳ１で、ユーザーの携帯電話機１０と携帯電話特定部４０を通話状態にする。ステップＳ２で、携帯電話特定部４０は、電話機４４を介して、携帯電話機１０に受話口を音響信号送受信器３０のマイクロホンに近づけるようにアナウンスする。次に、ステップＳ３に進み、携帯電話特定部４０の音響信号発生器４３から電話機４４を介して音響信号を携帯電話機１０に送信する。ステップＳ４で、演算処理部５０の比較部５１は、音響信号送受信器３０のマイクロホンからの受信音響信号と音響信号発生器４３からの音響信号を比較する。ステップＳ５で、演算処理部５０の判定部５２は音響信号送受信器３０で受信した音響信号が、音響信号発生器４３からの音響信号と同じであるか否か、即ち、発信した信号系が同じ系の信号か否かを判断する。同じ信号系であれば、ステップＳ６に進み、演算処理部５０の判定部５２は携帯電話機１０を認証し、ステップＳ７で認証されたことをアナウンスする。その後、ステップＳ８で通信回線を切断し、演算処理部５０は各種処理を行う。
【００３８】
上記のステップＳ５で同じ信号系でなければ、携帯電話機１０を認証しないで、ステップＳ１０で認証されないことをアナウンスし、ステップＳ１１で通信回線を切断し、動作を終了する。
【００３９】
図３は、例えば予約動作を実行する場合の動作フローを示し、ステップＳ１２でユーザーは携帯電話機１０により外部機器６０としての予約装置に電話をかける。ステップＳ１３で予約装置は予約処理を開始し、ステップＳ１４でユーザーは予約内容の入力を行う。次に、ステップＳ１５に進み、予約装置は、予約受付を行うか否かを判断する。予約受付を行うと判断すれば、ステップＳ１６に進み、予約装置はユーザーの携帯電話機の電話番号を記憶し、ステップＳ１７で予約装置はユーザーの携帯電話機１０へ予約確認を送信して動作を終了する。ステップＳ１５で予約受付できないと判断すれば、ステップＳ１８で予約内容が変更されているか否かを判断する。予約変更ありと判断すればステップＳ１４からＳ１５の動作を繰り返す。また、ステップＳ１８で予約変更なしと判断すれば、回線を切断して動作を終了する。
【００４０】
【発明の効果】
以上に説明したように、本発明によれば、音響信号を使い携帯電話特定部自身が発信した音響信号を再受信することで、対象となる携帯電話機が音響信号送受信器の近傍に存在すると推定することで処理対象者の位置を確認するものであるから、現状では携帯電話機を利用した各種処理において、いくつかのメディアがその認識アイテムとして使用されているが、携帯電話会社や機種が限定されている。本発明により全ての携帯電話に共通の、携帯電話特定のための認識アイテムを創始できる。また、特殊な仕様のものでなく、通常の通話機能を備えた携帯端末を利用することで、携帯端末の特定場所における存在を認識することが可能であると共に、携帯端末を確認することで、それを携帯する人物を対象者本人として確認することが可能となる。
【図面の簡単な説明】
【図１】本発明の実施の形態による携帯端末特定システムの概略構成を示すブロック構成図。
【図２】本発明の実施の形態による携帯端末特定システムにおける認証動作のフロー図。
【図３】本発明の実施の形態による携帯端末特定システムにおける予約操作の動作フロー図。
【符号の説明】
１０            携帯端末部である携帯電話機
２０            携帯電話機の通信ネットワークである携帯基地局
３０            音響信号送受信器
４０            携帯端末特定部である携帯電話特定部
４２            信号処理部
４３            音響信号発生器
４４            通信端末である電話機
６０            外部機器
【図１】
2004304395.tif 000003
【図２】
2004304395.tif 000004
【図３】
2004304395.tif 000005